(57)【要約】【課題】デッドスペースを有効に利用できる、キッチンカウンターを提供する。【解決手段】キッチンカウンター１は、調理スペース２２が設けられる第１天板部２１を有する第１カウンター体２を備える。キッチンカウンター１は、第１カウンター体２の背側端部に設けられ、第１天板部２１よりも上方に位置する第２天板部３１を有する第２カウンター体３を備える。第２カウンター体３には、その内部空間３６の上下方向における第１天板部２１と第２天板部３１との間に対応する範囲内に、植物育成部４が設けられる。植物育成部４は、植物７０が配置される植物育成空間４２と、植物育成空間４２内の植物７０に光を照射する照明装置４３と、を有する。【選択図】図１
2017113325.tif 000002
【特許請求の範囲】
【請求項１】
調理スペースが設けられる第１天板部を有する第１カウンター体と、前記第１カウンター体の背側端部に設けられ、前記第１天板部よりも上方に位置する第２天板部を有する第２カウンター体と、を備え、
前記第２カウンター体には、その内部空間の上下方向における前記第１天板部と前記第２天板部との間に対応する範囲内に、植物育成部が設けられ、
前記植物育成部は、植物が配置される植物育成空間と、前記植物育成空間内の植物に光を照射する照明装置と、を有することを特徴とするキッチンカウンター。
【請求項２】
前記第２カウンター体では、前記第１天板部の背側端部と前記第２天板部の前側端部との間に設けられる前板部に、前記植物育成空間と外部空間とを連通する開口が形成され、
前記開口には、透明な扉が取付けられることを特徴とする請求項１に記載のキッチンカウンター。
【請求項３】
前記植物育成部が、前記第２カウンター体の前記内部空間の左右方向における、前記第１天板部に設けられるシンクに対応する範囲内に設けられることを特徴とする請求項１または請求項２に記載のキッチンカウンター。
【発明の詳細な説明】
【技術分野】
【０００１】
本発明は、キッチンカウンターに関する。
【背景技術】
【０００２】
従来、シンクやコンロが設けられる第１カウンター体と、第１カウンター体の背側端部に設けられる第２カウンター体と、を備えたキッチンカウンターが知られている（例えば特許文献１参照）。
【０００３】
キッチンカウンターでは、第１カウンターの第１天板部よりも第２カウンター体の第２天板部が上側に位置する。
【先行技術文献】
【特許文献】
【０００４】
【特許文献１】特開平０９−０４９２５５号公報
【発明の概要】
【発明が解決しようとする課題】
【０００５】
特許文献１に記載のキッチンカウンターでは、第２カウンター体に内部空間が形成されているが、第１天板部よりも下側の部分で配管が通るのみで、第１天板部よりも上方の部分がデッドスペースとなってしまっていた。
【０００６】
上記従来の問題点に鑑みて発明された本発明の目的は、デッドスペースを有効に利用できる、キッチンカウンターを提供することである。
【課題を解決するための手段】
【０００７】
上記目的を達成するために、本発明に係る一態様のキッチンカウンターは、以下のような構成を備える。
【０００８】
キッチンカウンターは、調理スペースが設けられる第１天板部を有する第１カウンター体と、前記第１カウンター体の背側端部に設けられ、前記第１天板部よりも上方に位置する第２天板部を有する第２カウンター体と、を備え、前記第２カウンター体には、その内部空間の上下方向における前記第１天板部と前記第２天板部との間に対応する範囲内に、植物育成部が設けられ、前記植物育成部は、植物が配置される植物育成空間と、前記植物育成空間内の植物に光を照射する照明装置と、を有することを特徴とする。
【発明の効果】
【０００９】
本発明のキッチンカウンターでは、植物育成部を第２カウンター内に設けることで、第２カウンターのデッドスペースを減らすことができる。
【図面の簡単な説明】
【００１０】
【図１】図１は本発明の一実施形態のキッチンカウンターを右前斜め上方から視た斜視図である。
【図２】図２は本発明の一実施形態のキッチンカウンターを右後斜め上方から視た斜視図である。
【図３】図３Ａは本発明の一実施形態のキッチンカウンターに設けられる植物育成部の縦断面図である。図３Ｂは本発明の一実施形態のキッチンカウンターに設けられる植物育成部の他例を示した縦断面図である。
【発明を実施するための形態】
【００１１】
＜実施形態＞
以下に示す本発明の一実施形態は、特に、調理スペースを有する第１カウンター体の背側端部に第２カウンター体が設けられたキッチンカウンターに関する。
【００１２】
以下、添付図面に基づき本実施形態のキッチンカウンター１について説明する。
【００１３】
図１に示された本実施形態のキッチンカウンター１は、例えば対面式のキッチンカウンターとして利用される。以下では、キッチンカウンター１において、キッチンカウンター１を利用する利用者が立つ側を前方Ｆ、その反対側を後方Ｂ（背方）、利用者からキッチンカウンター１を見て右側を右方Ｒ、その反対側を左方Ｌとする。
【００１４】
キッチンカウンター１は、台所の床に設置される第１カウンター体２および第２カウンター体３を備える。
【００１５】
第１カウンター体２は、図１に示すように、上方から視て左右方向に延びた長方形状に形成される。第１カウンター体２は、キャビネット２３と、キャビネット２３上に設けられる天板部（以下、第１天板部２１とする。）と、を有する。キャビネット２３および第１天板部２１は、上方から視て略同形同大である。
【００１６】
第１天板部２１は、上方から視て左右方向に延びた長方形状に形成される。第１天板部２１には、図１に示すように、加熱調理器６１と、シンク６２と、が設置される。すなわち、第１天板部２１は、キッチンカウンター１のワークトップである。
【００１７】
第１天板部２１において、加熱調理器６１が設けられる領域が、シンク６２が設けられる領域よりも低い位置に配置される。ここで、第１天板部２１では、加熱調理器６１が設けられる領域を第１領域２１１とする。第１天板部２１において、シンク６２が設けられる領域を第２領域２１２とする。
【００１８】
第２領域２１２において、シンク６２よりも第１領域２１１側の部分は、利用者が食材や調理器具を置いたり、食材を切ったり等をする調理スペース２２となっている。
【００１９】
第２カウンター体３は、図２に示すように、第１カウンター体２の後方Ｂに配置される。第２カウンター体３は、上方から視て左右方向に延びた長方形状に形成される。
【００２０】
第２カウンター体３は、天板部（以下、第２天板部３１とする。）、前板部３２（図１参照）、側板部３３、後板部３４、底板部３５を有する。
【００２１】
第２天板部３１は、上方から視て左右方向に長い矩形状をしている。第２天板部３１は、上下方向に厚みを有する薄板状となっている。第２天板部３１の上面は、第１カウンター体２の第１天板部２１の上面よりも上方に位置する。
【００２２】
第２カウンター体３は、図１に示すように、第２天板部３１の前端部から下方に延出される前板部３２を有する。前板部３２は、第２天板部３１の前端部と第１天板部２１の後端部との間に設けられる。前板部３２は、前方Ｆから視て略Ｌ字状となっている。すなわち、前板部３２では、第１領域２１１に対応する部分の上下方向の長さよりも、第２領域２１２に対応する部分の上下方向の長さの方が短い。
【００２３】
第２カウンター体３は、図２に示すように、第２天板部３１の左右方向の一方側（本実施形態では右側Ｒ）の端部から下方に延出される第１側板部３３１を有する。第１側板部３３１は、上下方向に長い長方形状をしている。第１側板部３３１は、左右方向に厚みを有する薄板状となっている。
【００２４】
第２カウンター体３は、第２天板部３１の左右方向の他方側（本実施形態では左側Ｌ）の端部から下方に延出される第２側板部３３２を有する。第２側板部３３２は、上下方向に長い長方形状をしている。第２側板部３３２は、左右方向に厚みを有する薄板状となっている。
【００２５】
第２カウンター体３は、第２天板部３１の後側Ｂの端部から下方に延出される後板部３４を有する。後板部３４は、左右方向に長い長方形状をしている。後板部３４は、前後方向に厚みを有する薄板状となっている。
【００２６】
第２カウンター体３は、前板部３２、第１側板部３３１、第２側板部３３２および後板部３４の下端部を繋ぐ底板部３５を有する。底板部３５は、左右方向に長い長方形状をしている。底板部３５は、上下方向に厚みを有する薄板状となっている。
【００２７】
第２カウンター体３では、第２天板部３１、前板部３２、第１側板部３３１、第２側板部３３２、後板部３４、底板部３５により内部空間３６が形成される。
【００２８】
第２カウンター体３では、図１に示すように、前板部３２に開口（以下、第１開口３２１とする。）が形成される。第１開口３２１は、前板部３２を前後方向に貫通する。第２カウンターでは、図２に示すように、後板部３４に開口（以下、第２開口３４１とする。）が形成される。第２開口３４１は、後板部３４を前後方向に貫通する。第１開口３２１および第２開口３４１は、後方Ｂから視て略矩形状となっている。
【００２９】
第２カウンター体３には、図１，図３Ａに示すように、その内部空間３６に植物７０を育てるための植物育成部４が設けられる。植物育成部４は、内部空間３６の上下方向において、第１天板部２１と第２天板部３１との間に対応する範囲内に設けられる。また、本実施形態の植物育成部４は、内部空間３６の第１天板部２１よりも上の部分の左右方向において、シンク６２に対応する範囲内に配置される。特に、植物育成部４は、上記した内部空間３６のシンク６２に対応する範囲の内、加熱調理器６１側の範囲に配置されている。
【００３０】
植物７０は、図３Ａに示すように、容器７１に入れた土に植えられる。植物７０は、ミント、バジル、ローズマリー、といったハーブや、ラディッシュ、ミニトマト、レタス、といった野菜であることが好ましい。
【００３１】
植物育成部４は、第１開口３２１と第２開口３４１との間に設けられる壁部４１を有する。特に、本実施形態の壁部４１は、第１開口３２１の周縁から第２開口３４１の周縁まで延出される。
【００３２】
壁部４１は、第１開口３２１の上縁から第２開口３４１の上縁まで延出している上壁部４１１と、第１開口３２１の下縁から第２開口３４１の下縁まで延出している下壁部４１２と、を有する。
【００３３】
壁部４１は、図１に示すように、第１開口３２１の左右方向の一方側（本実施形態では右側Ｒ）の縁から第２開口３４１の左右方向の一方側の縁まで設けられる第１側壁部４１３を有する。壁部４１は、第１開口３２１の左右方向の他方側（本実施形態では左側Ｌ）の縁から第２開口３４１の左右方向の他方側の縁まで設けられる第２側壁部４１４を有する。
【００３４】
植物育成部４では、図３Ａに示すように、壁部４１により囲まれた空間を植物育成空間４２とする。植物育成空間４２は、第１開口３２１および第２開口３４１を介して外部空間と連通する。植物育成部４では、下壁部４１２に植物７０が載置されることにより、植物育成空間４２内に植物７０が配置される。
【００３５】
本実施形態の植物育成空間４２では、その前後方向に直交する断面形状が、第１開口３２１および第２開口３４１の形状と同じ形状・大きさとなっている。
【００３６】
本実施形態の第２カウンター体３には、図３Ａに示すように、植物育成部４の下壁部４１２に載置される植物７０に対して、植物７０を育成させるための光を照射する照明装置４３が設けられる。
【００３７】
照明装置４３は、光源４３２およびカバー４３３を有する照明部４３１、光源４３２を調光する制御部４３４、光源４３２をＯＮ・ＯＦＦさせる操作部１１（図１参照）、を有する。
【００３８】
照明部４３１の光源４３２は、制御部４３４と電気的に接続される。照明部４３１の光源４３２は、植物７０を育成するための育成用光源である。育成用光源には、ＬＥＤ（Light  Emitting  Diode）、蛍光灯などが用いられる。また、育成用光源には、有機ＥＬ（Electroluminescent  Device）素子、ＨＩＤ（High  Intensity  Discharge）ランプなどが用いられてもよい。
【００３９】
特に、育成用光源でＬＥＤを用いる場合、青色ＬＥＤ、赤色ＬＥＤ、白色ＬＥＤ、緑色ＬＥＤを適宜組み合わせることが好ましい。また、ＨＩＤランプを用いる場合、高圧ナトリウムランプ、キセノンランプを用いることが好ましい。
【００４０】
本実施形態の光源４３２には、上記した育成用光源だけでなく、植物病害を抑制するため、病原菌を殺菌する殺菌用光源を付加的に用いてもよい。
【００４１】
病原菌を殺菌するための殺菌用光源としては、紫外線成分を照射する光源が用いられる。すなわち、殺菌用光源には、紫外線ランプ、水銀灯、メタルハイライドランプ、キセノンランプ、紫外ＬＥＤなどが用いられる。
【００４２】
カバー４３３は、下方に開口しており、金属や樹脂で形成される。
【００４３】
制御部４３４は、マイクロコンピューターを備える。マイクロコンピューターは、ＣＰＵ（Central  Processing  Unit）、メモリ等を有する。マイクロコンピューターは、メモリに格納されたプログラムをＣＰＵが実行することにより制御を行なうもので、公知の様々なマイクロコンピューターが適宜利用可能である。
【００４４】
操作部１１には、制御部４３４と電気的に接続されるスイッチが用いられる。操作部１１は、前板部３２に取り付けられる。
【００４５】
照明装置４３では、図３Ａに示すように、複数の照明部４３１が上壁部４１１に取り付けられる。この場合、背の低い植物７０（例えば、ミント、バジル）であれば植物７０全体に光を当て易いが、背の高い植物７０（例えば、ミニキャロット）であると植物７０全体に光を当て難くなる。そこで、照明装置４３では、図３Ｂに示すように、複数の照明部４３１が上壁部４１１だけでなく、他の壁部４１に取り付けられることが好ましい。
【００４６】
本実施形態の照明装置４３では、照明部４３１が上壁部４１１、第１側壁部４１３、第２側壁部４１４に取り付けられている。
【００４７】
本実施形態では、壁部４１に取り付ける複数の照明部４３１は、育成用光源を取り付けた照明部４３１のみでもよいし、育成用光源を取り付けた照明部４３１と殺菌用光源を取り付けた照明部４３１とを混在させてもよい。また、壁部４１に取り付ける複数の照明部４３１は、それぞれが光源４３２として育成用光源と殺菌用光源の両方を有していてもよい。
【００４８】
第２カウンター体３では、図１に示すように、第１開口３２１に取手を有する扉５（以下、第１扉５１とする。）が取付けられる。
【００４９】
本実施形態の第１扉５１は、第１開口３２１と同じ形状で前方Ｆから視て略矩形状となっている。なお、第１扉５１の形状は略矩形状に限定されず、第１扉５１を閉じた状態で第１開口３２１を閉塞できる形状であればよい。
【００５０】
第２カウンター体３では、図２に示すように、第２開口３４１に取手を有する扉５（以下、第２扉５２とする。）が取付けられる。
【００５１】
本実施形態の第２扉５２は、第２開口３４１と同じ形状で後方Ｂから視て略矩形状となっている。なお、第２扉５２の形状は略矩形状に限定されず、第２扉５２を閉じた状態で第２開口３４１を閉塞できる形状であればよい。
【００５２】
第１扉５１および第２扉５２は、植物育成空間４２内にある植物７０が見えるように透明な材質で形成されることが好ましい。本実施形態の第１扉５１および第２扉５２は、ガラスで形成されるが、アクリル樹脂やエポキシ樹脂で形成されてもよく、その材質は限定されない。
【００５３】
植物育成部４では、土に植えられている植物７０を内部に配置する場合、利用者が植物７０を採取する際に、植物７０に付着した土や容器７１内の土が下壁部４１２に落ちてしまうおそれがある。この場合、土に付着している雑菌が下壁部４１２で繁殖し、植物育成空間４２内に拡散するおそれがある。そのため、植物育成部４には、雑菌が繁殖しないように抗菌処理が施されることが好ましい。特に、本実施形態の植物育成部４では、抗菌処理が壁部４１に施される。
【００５４】
抗菌処理は、銀、銅、亜鉛などの金属や、有機材の抗菌材により壁部４１の表面をコーティングしたり、壁部４１を製造する際の材料に銀、銅、亜鉛などの金属や、有機材の抗菌材を混ぜたりすることで行われる。
【００５５】
第２カウンター体３には、植物育成部４だけでなく、図１に示すように、音響装置、映像装置、キッチン用品が組み込まれることが好ましい。
【００５６】
音響装置は、音楽を流すだけでなく、映像装置の映像に対応した音声を流す機能を有していてもよい。
【００５７】
映像装置は、ＴＶを映すだけでなく、料理のレシピを検索し、その結果を表示できる機能を有していてもよい。
【００５８】
キッチン用品は、台所用洗剤、液体洗剤を吐出するディスペンサであるが、他のキッチン用品を組み込んでもよい。
【００５９】
本実施形態のキッチンカウンター１の構成は、上記した一態様に限定されず、以下に示す態様であってもよい。
【００６０】
植物育成部４は、内部空間３６の左右方向における第２カウンター体３の第２領域２１２に対応する範囲内に設けられればよい。
【００６１】
植物７０は、容器７１内に張った水に直接根を浸けてもよいし、容器７１内に水を含浸させたスポンジ等に根を植えてもよい。
【００６２】
植物育成空間４２の断面形状は、第１開口３２１および第２開口３４１の形状と異なっていてもよい。また、植物育成空間４２の断面形状の大きさは、第１開口３２１および第２開口３４１の大きさとは異なっていてもよい。
【００６３】
照明装置４３は、複数の照明部４３１を有していてもよいが、照明部４３１は一つであってもよい。
【００６４】
照明装置４３では、照明部４３１は、上壁部４１１、第１側壁部４１３、第２側壁部４１４のいずれか少なくとも一ヵ所に取り付けられればよい。
【００６５】
照明装置４３では、光源４３２を壁部４１に埋め込んでもよい。
【００６６】
抗菌処理は、壁部４１の全てに行われる必要はなく、少なくとも下壁部４１２に施されればよい。
【００６７】
第１カウンター体２と第２カウンター体３とは、別体に設けられてもよいし、一体に設けられてもよい。
【００６８】
第１カウンター体２の内部空間と第２カウンター体３の内部空間３６とは、繋がっていてもよいし、別々の空間であってもよい。
【００６９】
第１カウンター体２では、第１天板部２１において、第１領域２１１および第２領域２１２のうち第２領域２１２を有するだけでもよい。
【００７０】
第１カウンター体２では、第１天板部２１において、加熱調理器６１およびシンク６２のうちがシンク６２を有するだけでもよい。
【００７１】
キャビネット２３および第１天板部２１は、上方から視て左右方向に延びた長方形状に形成されるが、その形状は上記した形状に限定されず正方形状であってもよい。
【００７２】
第１天板部２１では、上下方向において、第１領域２１１が第２領域２１２よりも低い位置に配置されるが、第１領域２１１と第２領域２１２とは略同じ位置に配置されてもよい。
【００７３】
第２カウンター体３の形状は、上方から視て左右方向に延びた長方形状に形成されるが、その形状は上記した形状に限定されず正方形状であってもよい。
【００７４】
第２カウンター体３の左右方向の長さは、第１カウンター体２の左右方向の長さと略同じ長さであるが、第２カウンター体３の左右方向の長さは限定されない。
【００７５】
第２カウンター体３の前後方向の長さは、第１カウンター体２の前後方向の長さよりも短いが、第２カウンター体３の前後方向の長さは限定されない。
【００７６】
第２天板部３１、前板部３２、第１側板部３３１、第２側板部３３２、後板部３４、底板部３５の形状は長方形状となっているが、その形状は矩形状であればよく限定されない。
【００７７】
第２カウンター体３では、底板部３５は設けられなくともよい。
【００７８】
第２カウンター体３では、第１開口３２１および第２開口３４１は、前方Ｆから視て略矩形状となっているが、その形状は限定されない。また、第１開口３２１と第２開口３４１とは違う形状であってもよい。
【００７９】
第２カウンター体３では、後板部３４の第２開口３４１は形成されなくてもよい。
【００８０】
第２カウンター体３では、第１扉５１が第１開口３２１に、さらに、第２扉５２が第２開口３４１に取り付けられなくともよい。
【００８１】
第２カウンター体３では、植物育成部４の壁部４１は、下壁部４１２だけであってもよい。
【００８２】
第１カウンター体２の第１天板部２１は、強化ガラス製であるが、例えば、合成樹脂製（特に人工大理石製）、ステンレスといった金属製などであってもよい。
【００８３】
第２カウンター体３の第２天板部３１は、強化ガラス製であるが、例えば、合成樹脂製（特に人工大理石製）、金属製（ステンレスなど）、木製（合板、無垢材など）であってもよい。
【００８４】
操作部１１には、スイッチが用いられているが、制御部４３４と無線で接続されるリモコンが用いられてもよい。また、スマートフォンなどの携帯端末が用いられてもよい。
【００８５】
操作部１１は、前板部３２に取り付けられているが、第１天板部２１の調理スペース２２に取り付けられてもよい。
【００８６】
加熱調理器６１は、電磁調理器であるが、例えばガスコンロであってもよい。
【００８７】
上記した構成を備えるキッチンカウンター１では、第１カウンター体２の後側端部に設けられる第２カウンター体３に植物育成部４を設ける。従来の第２カウンター体３では、その第１天板部２１よりも上側の内部空間３６を利用者が利用できず、デッドスペースとなっていたが、植物育成部４を設けることで内部空間３６を有効に利用できる。
【００８８】
また、植物育成部４では、第１開口３２１に透明な第１扉５１を取り付けることで、シンク６２ではねた水や加熱調理器６１から飛び散った油が植物７０にかかることを防止できる。そして、第１扉５１と第２扉５２は透明であるので、利用者が植物７０を鑑賞する妨げとならず、利用者に癒しを与えることができる。
【００８９】
また、植物育成部４が、内部空間３６の左右方向におけるシンク６２に対応する範囲内の後方Ｂに設けられることで、利用者が植物７０に水を与え易くなる。さらに、シンク６２付近は水が流れており高温になり難いため、植物育成部４内の植物７０が枯れ難くなる。
【００９０】
以上説明したように、本実施形態のキッチンカウンター１は以下に示す構成を備える。
【００９１】
本実施形態のキッチンカウンター１は、次の第１の特徴を備える。第１の特徴では、キッチンカウンター１は、調理スペース２２が設けられる第１天板部２１を有する第１カウンター体２を備える。キッチンカウンター１は、第１カウンター体２の背側端部に設けられ、第１天板部２１よりも上方に位置する第２天板部３１を有する第２カウンター体３を備える。
【００９２】
第２カウンター体３には、その内部空間３６の上下方向における第１天板部２１と第２天板部３１との間に対応する範囲内に、植物育成部４が設けられる。
【００９３】
植物育成部４は、植物７０が配置される植物育成空間４２と、植物育成空間４２内の植物７０に光を照射する照明装置４３と、を有する。
【００９４】
この第１の特徴を有するキッチンカウンター１によれば、第２カウンター体３の内部空間３６を有効に利用することができる。
【００９５】
本実施形態の第１の特徴を有するキッチンカウンター１は、以下の付加的な第２の特徴を有する。第２の特徴では、第２カウンター体３では、第１天板部２１の背側端部と第２天板部３１の前側端部との間に設けられる前板部３２に、植物育成空間４２と外部空間とを連通する開口（第１開口３２１）が形成される。開口には、透明な扉５が取付けられる。
【００９６】
この第２の特徴を有するキッチンカウンター１によれば、扉５により、油や洗剤が植物７０にかかることを抑制できる。また、扉５が透明なので、植物７０を鑑賞できる。
【００９７】
本実施形態の第１〜第２の特徴を有するキッチンカウンター１は、以下の付加的な第３の特徴を有する。第３の特徴では、植物育成部４が、第２カウンター体３の内部空間３６の左右方向における、第１天板部２１に設けられるシンク６２に対応する範囲内に設けられる。
【００９８】
この第３の特徴を有するキッチンカウンター１によれば、植物育成部４の近くにシンク６２が設けられるので、利用者が植物７０に水を与え易くなる。
【符号の説明】
【００９９】
１        キッチンカウンター
２        第１カウンター体
２１      第１天板部
２２      調理スペース
３        第２カウンター体
３１      第２天板部
３２      前板部
３２１    第１開口
３６      内部空間
４        植物育成部
４２      植物育成空間
４３      照明装置
５        扉
７０      植物
【図１】
2017113325.tif 000003
【図２】
2017113325.tif 000004
【図３】
2017113325.tif 000005